(57)【要約】【課題】画像形成装置に組み込む前にスジ発生位置に対応するＬＰＨの発光素子の補正箇所を予め特定可能として画質懸念事項が発生するか否かを判別可能とし、当該懸念事項に応じた対応処置を講じる機会を得られるようにして画質の向上を図ること。【解決手段】各発光素子を予め設定された点灯パターンで点灯させると共に、当該点灯される発光素子と対向する位置に受光部を移動させ、当該受光部により受光された光の信号に基づいて発光素子毎のＭＴＦ値を算出し、ＭＴＦ値に基づいて予め設定された第１の移動平均区間での発光素子毎の第１の移動平均値を算出し、ＭＴＦ値に基づいて第２の移動平均区間での発光素子毎の第２の移動平均値を算出し、発光素子毎の第１の移動平均値と第２の移動平均値との差分値を算出し、差分値と予め設定された閾値とに基づいて補正対象発光素子を特定するＬＰＨ評価装置。【選択図】図１
2010058389.tif 000002
【特許請求の範囲】
【請求項１】
主走査方向に配列された複数の発光素子からなる光源部、前記発光素子からの照射光を集光させて露光面上に結像させる複数の結像レンズからなる光学部、を有する光書込装置と、
前記光書込装置から照射される光を受光する受光部と、
前記受光部を前記光書込装置の照射面と対向する位置に保持し、主走査方向に移動させる駆動部と、
予め設定された光量に基づいて前記光書込装置の各発光素子を予め設定された点灯パターンで点灯させると共に、前記駆動部を駆動させて点灯させる発光素子と対向する位置に前記受光部を移動させ、前記受光部が受光した光量値に基づいて前記発光素子毎の特性データを算出し、前記発光素子毎の前記特性データに基づいて前記発光素子毎の第１演算値を算出し、前記発光素子毎の前記特性データに基づいて前記発光素子毎の前記第１演算値とは異なる第２演算値を算出し、前記発光素子毎の前記第１演算値と前記第２演算値とに基づいて第３演算値を算出し、前記第３演算値を表示部に表示させる制御部と、
を備える、光書込装置の評価装置。
【請求項２】
前記点灯パターンは、前記発光素子を３つ置きに点灯させる点灯パターンである、
請求項１に記載の光書込装置の評価装置。
【請求項３】
前記点灯パターンは、前記発光素子を２つ置きに点灯させる点灯パターンである、
請求項１に記載の光書込装置の評価装置。
【請求項４】
前記第１演算値は、予め設定された第１の移動平均区間での前記発光素子毎の第１の移動平均値である、
請求項１から３のいずれか一項に記載の光書込装置の評価装置。
【請求項５】
前記第１の移動平均区間は、５２素子である、
請求項４に記載の光書込装置の評価装置。
【請求項６】
前記第２演算値は、前記第１の移動平均区間よりも大きい予め設定された第２の移動平均区間での前記発光素子毎の第２の移動平均値である、
請求項４又は５に記載の光書込装置の評価装置。
【請求項７】
前記第２の移動平均区間は、７６８素子である、
請求項６に記載の光書込装置の評価装置。
【請求項８】
前記第３演算値は、前記第２演算値から前記第１演算値を差分した差分値であり、
前記制御部は、前記差分値が予め設定された閾値以上の発光素子を前記補正対象発光素子として特定する、
請求項１から７のいずれか一項に記載の光書込装置の評価装置。
【請求項９】
前記閾値は、１．６以上２．０以下である、
請求項８に記載の光書込装置の評価装置。
【請求項１０】
主走査方向に配列された複数の発光素子からなる光源部、前記発光素子からの照射光を集光させて露光面上に結像させる複数の結像レンズからなる光学部、を有する光書込装置の評価方法において、
制御部により予め設定された光量に基づいて前記各発光素子を予め設定された点灯パターンで点灯させると共に、当該点灯される発光素子と対向する位置に受光部を移動させ、当該受光部が受光した光量値に基づいて前記発光素子毎の特性データを算出する特性データ算出工程と、
前記制御部により前記発光素子毎の前記特性データに基づいて前記発光素子毎の第１演算値を算出する第１算出工程と、
前記制御部により前記発光素子毎の前記特性データに基づいて前記発光素子毎の前記第１演算値とは異なる第２演算値を算出する第２算出工程と、
前記制御部により前記発光素子毎の前記第１演算値と前記第２演算値とに基づいて第３演算値を算出する第３算出工程と、
前記制御部により前記第３演算値を表示部に表示させる補正対象特定工程と、
を含む、光書込装置の評価方法。
【発明の詳細な説明】
【技術分野】
【０００１】
本発明は、光書込装置の評価装置及び光書込装置の評価方法に関する。
【背景技術】
【０００２】
近年、感光体の表面に静電潜像を形成させる光書込装置として、ＬＥＤプリンタヘッド（以下、ＬＰＨと称す。）を用いた画像形成装置が開発されている。ＬＰＨは、ＬＥＤチップアレイと、レンズアレイとを備えて構成されている。ＬＥＤチップアレイは、主走査方向に沿って予め設定された解像度に応じて配列された複数のＬＥＤ（Light Emitting Diode）素子を有するＬＥＤチップがアレイ上に配置されてなる。レンズアレイは、画像データに応じて発光されたＬＥＤ素子からの照射光を集光させて感光体に静電潜像を結像させるＧＲＩＮ（Graded-Index）レンズが複数配列されてなる。
【０００３】
ＬＥＤ素子の製造バラツキ、ＧＲＩＮレンズの取付位置や角度の変動や屈折率分布等に起因する光学特性のバラツキ、ごみの付着等により、ＬＰＨを用いた光書込処理には、光量ムラが発生することが知られている。このようなＬＰＨを用いた画像形成装置では、光量ムラが発生した箇所に濃度ムラが発生し、この濃度ムラに起因して白スジ又は黒スジ等のスジが発生するという問題がある。
【０００４】
そこで、ヘッドあるいはレンズアレイに起因するスジの位置を予め特定し、当該スジのみを補正する光書込装置が開示されている。この光書込装置は、レンズアレイのＭＴＦ（Modulation Transfer Function）又は露光ヘッドのＭＴＦから、露光ヘッドに入力される画像データの光量変化に対する画像濃度の線形性が崩れる補正箇所を特定し、特定した補正箇所について濃度ムラを補正するものである（特許文献１参照）。
【特許文献１】特開２００６−２４８１８５号公報
【発明の開示】
【発明が解決しようとする課題】
【０００５】
しかしながら、特許文献１は、補正箇所を特定する際、横軸をドット位置、縦軸をＭＴＦとしたグラフ上において、デフォーカス位置を５段階に変化させて各ドット位置におけるＭＴＦの変化を見て、ＭＴＦが急激に変動する箇所を特定するものである。そのため、特許文献１に開示された技術では、複数の異なるデフォーカス位置でのＭＴＦ特性に応じて濃度補正箇所を特定することとなり、当該補正箇所が本来結像する位置で発生するスジの発生位置とは異なる可能性がある。また、特許文献１の技術では、ＬＰＨを備えた画像形成装置内で補正箇所を特定しているため、重大な画質懸念事項がある場合には、画像形成装置内での補正処理では対処できない可能性がある。
【０００６】
本発明の課題は、光書込装置を画像形成装置に組み込む前に、スジ発生位置に対応する光書込装置が備える発光素子の補正箇所を予め特定可能として画質懸念事項が発生するか否かを判別可能とし、当該懸念事項に応じた対応処置を講じる機会を得られるようにして画質の向上を図ることである。
【課題を解決するための手段】
【０００７】
請求項１に記載の発明は、主走査方向に配列された複数の発光素子からなる光源部、前記発光素子からの照射光を集光させて露光面上に結像させる複数の結像レンズからなる光学部、を有する光書込装置と、前記光書込装置から照射される光を受光する受光部と、前記受光部を前記光書込装置の照射面と対向する位置に保持し、主走査方向に移動させる駆動部と、予め設定された光量に基づいて前記光書込装置の各発光素子を予め設定された点灯パターンで点灯させると共に、前記駆動部を駆動させて点灯させる発光素子と対向する位置に前記受光部を移動させ、前記受光部が受光した光量値に基づいて前記発光素子毎の特性データを算出し、前記発光素子毎の前記特性データに基づいて前記発光素子毎の第１演算値を算出し、前記発光素子毎の前記特性データに基づいて前記発光素子毎の前記第１演算値とは異なる第２演算値を算出し、前記発光素子毎の前記第１演算値と前記第２演算値とに基づいて第３演算値を算出し、前記第３演算値を表示部に表示させる制御部と、を備える、光書込装置の評価装置である。
【０００８】
請求項２に記載の発明は、請求項１に記載の光書込装置の評価装置において、前記点灯パターンは、前記発光素子を３つ置きに点灯させる点灯パターンである。
【０００９】
請求項３に記載の発明は、請求項１に記載の光書込装置の評価装置において、前記点灯パターンは、前記発光素子を２つ置きに点灯させる点灯パターンである。
【００１０】
請求項４に記載の発明は、請求項１から３のいずれか一項に記載の光書込装置の評価装置において、前記第１演算値は、予め設定された第１の移動平均区間での前記発光素子毎の第１の移動平均値である。
【００１１】
請求項５に記載の発明は、請求項４に記載の光書込装置の評価装置において、前記第１の移動平均区間は、５２素子である。
【００１２】
請求項６に記載の発明は、請求項４又は５に記載の光書込装置の評価装置において、前記第２演算値は、前記第１の移動平均区間よりも大きい予め設定された第２の移動平均区間での前記発光素子毎の第２の移動平均値である。
【００１３】
請求項７に記載の発明は、請求項６に記載の光書込装置の評価装置において、前記第２の移動平均区間は、７６８素子である。
【００１４】
請求項８に記載の発明は、請求項１から７のいずれか一項に記載の光書込装置の評価装置において、前記第３演算値は、前記第２演算値から前記第１演算値を差分した差分値であり、前記制御部は、前記差分値が予め設定された閾値以上の発光素子を前記補正対象発光素子として特定する。
【００１５】
請求項９に記載の発明は、請求項８に記載の光書込装置の評価装置において、前記閾値は、１．６以上２．０以下である。
【００１６】
請求項１０に記載の発明は、主走査方向に配列された複数の発光素子からなる光源部、前記発光素子からの照射光を集光させて露光面上に結像させる複数の結像レンズからなる光学部、を有する光書込装置の評価方法において、制御部により予め設定された光量に基づいて前記各発光素子を予め設定された点灯パターンで点灯させると共に、当該点灯される発光素子と対向する位置に受光部を移動させ、当該受光部が受光した光量値に基づいて前記発光素子毎の特性データを算出する特性データ算出工程と、前記制御部により前記発光素子毎の前記特性データに基づいて前記発光素子毎の第１演算値を算出する第１算出工程と、前記制御部により前記発光素子毎の前記特性データに基づいて前記発光素子毎の前記第１演算値とは異なる第２演算値を算出する第２算出工程と、前記制御部により前記発光素子毎の前記第１演算値と前記第２演算値とに基づいて第３演算値を算出する第３算出工程と、前記制御部により前記第３演算値を表示部に表示させる補正対象特定工程と、を含む、光書込装置の評価方法である。
【発明の効果】
【００１７】
請求項１、１０に記載の発明によれば、画像形成装置に組み込む前に、表示部に表示された第３演算値によりスジ発生位置に対応する光書込装置の発光素子の補正箇所を予め特定することができ、画質懸念事項が発生するか否かを判別でき、当該懸念事項に応じた対応処置を講じる機会が得られ、画質の向上を図ることができる。
【００１８】
請求項２に記載の発明によれば、請求項１と同様の効果を得られるのは勿論のこと、ＬＰＨの解像度に応じて発光素子毎の特性データを得ることができるため、補正対象発光素子の特定精度を向上できる。
【００１９】
請求項３に記載の発明によれば、請求項１と同様の効果を得られるのは勿論のこと、２素子共通の特性データを得ることができるため、１／２解像度のＬＰＨの特性データに近似することができる。
【００２０】
請求項４に記載の発明によれば、請求項１から３のいずれか一項と同様の効果を得られるのは勿論のこと、予め設定された第１の移動平均区間での発光素子毎の第１の移動平均値を第１演算値として用いることができる。
【００２１】
請求項５に記載の発明によれば、請求項４と同様の効果を得られるのは勿論のこと、第１の移動平均区間を、光学部の構成に起因して発生する黒スジの検出精度に寄与する最小の素子数である５２素子とすることができ、補正対象発光素子の特定精度を向上できる。
【００２２】
請求項６に記載の発明によれば、請求項４又は５と同様の効果を得られるのは勿論のこと、第１の移動平均区間よりも大きい予め設定された第２の移動平均区間での発光素子毎の第２の移動平均値を第２演算値として用いることができる。
【００２３】
請求項７に記載の発明によれば、請求項６と同様の効果を得られるのは勿論のこと、第２の移動平均区間を７６８素子とすることができ、各発光素子の特性データを平滑化することができる。
【００２４】
請求項８に記載の発明によれば、請求項１から７のいずれか一項と同様の効果を得られるのは勿論のこと、第２演算値から第１演算値を差分した差分値が閾値以上の発光素子を補正対象発光素子として特定することができる。
【００２５】
請求項９に記載の発明によれば、請求項８と同様の効果を得られるのは勿論のこと、１．６以上２．０以下の閾値を用いることができ、補正対象発光素子の特定精度を向上できる。
【発明を実施するための最良の形態】
【００２６】
以下、図を参照して本発明の実施の形態を詳細に説明する。
まず、構成を説明する。
図１に、本実施の形態におけるＬＰＨ評価装置１の構成図を示す。
図１に示すように、ＬＰＨ評価装置１は、暗箱２内に設けられたＬＰＨ１０、ＬＰＨ固定部材２０、受光部３０、駆動部４０と、ＬＰＨ制御部５０、受光制御部／駆動制御部６０、制御装置７０を備えて構成されている。
【００２７】
ＬＰＨ１０は、光源部と光学部とを有する。光源部は、予め設定された解像度に対応した画素ピッチで主走査方向に配列された複数の発光素子（例えば、ＬＥＤ（Light Emitting Diode）素子）からなるＬＥＤアレイを有する。光学部は、当該発光素子からの照射光を集光させて露光面上に結像させる複数の結像レンズ（例えば、ＧＲＩＮ（Graded-Index）レンズ）からなるレンズアレイを有する。ＬＰＨ１０は、画像データに基づいて発光素子が選択的に駆動されて点灯し、駆動された発光素子から照射される光を結像レンズにより露光面上に集光させて結像させる光書込装置である。
なお、各発光素子には、それぞれ固有の識別番号（素子番号）が付されている。
【００２８】
ＬＰＨ固定部材２０は、例えば、エア吸引によりＬＰＨ１０を吸着保持するＬＰＨ１０を予め設定された位置に固定するものである。
【００２９】
受光部３０は、ＬＰＨ１０から照射される光を受光し、受光した光量値を受光制御部／駆動制御部６０に出力する。受光部３０としては、例えば、ＣＣＤ（（Charge Coupled Device）や光電子倍増管（Photo Multiplier）、フォトダイオード等を挙げることができる。
【００３０】
駆動部４０は、モータやＬＰＨ１０の照射面と対向する位置の主走査方向に延在するガイドレール等を備え、受光部３０をガイドレール上のＬＰＨ１０の照射面と対向する位置に保持し、受光制御部／駆動制御部６０からの指示に従って主走査方向に移動させる。
【００３１】
ＬＰＨ制御部５０は、制御装置７０から入力された指示に従って、ＬＰＨ１０全体を制御する。ＬＰＨ制御部５０は、制御装置７０から入力された指示に応じて発光素子の露光時間（点灯時間）や光量補正値、点灯させる発光素子をＬＰＨ１０に設定し、当該露光時間で選択した発光素子を点灯させる点灯制御を行なう。
【００３２】
受光制御部／駆動制御部６０は、受光部３０から入力される光量値に対して、光電変換処理、Ａ／Ｄ変換処理を施して光量測定値を算出し、当該光量測定値を制御装置７０に出力し、また、制御装置７０から入力された指示に従って、駆動部のモータを駆動させ、ガイドレール上に保持されている受光部３０をＬＰＨ１０の主走査方向に移動させる。
【００３３】
制御装置７０は、制御部７１、記憶部７２、表示部７３、操作部７４等を有しており、ＬＰＨ評価装置１全体を統括的に制御する装置である。
【００３４】
制御部７１は、ＣＰＵ（Central Processing Unit）、ＲＯＭ（Read Only Memory）、ＲＡＭ（Random Access Memory）等を備えており、ＲＯＭ又は記憶部７２に記憶されているシステムプログラム、各処理プログラム、データ等を読み出して、ＲＡＭ内に展開し、展開されたプログラムに従って、制御装置７０各部の動作を制御すると共に、ＬＰＨ制御部５０、受光制御部／駆動制御部６０を統括的に制御し、ＬＰＨ評価装置１全体の統括的な制御を行なうものである。
【００３５】
また、制御部７１は、ＲＯＭ又は記憶部７２に記憶されているＬＰＨ評価プログラム、光量補正テーブル等の他各種データ等を読み出して、ＬＰＨ評価処理を実行する。
ＬＰＨ評価処理には、第１〜３光量調整処理と、ＭＴＦ測定処理と、第１算出処理と、第２算出処理と、第３算出処理と、補正対象特定処理とが含まれる。
第１〜３光量調整処置は、ＬＰＨの光量補正を調整する処理である。
【００３６】
ＭＴＦ測定処理は、第１〜３光量調整処理により設定された光量に基づいてＬＰＨ制御部５０によりＬＰＨの各発光素子が予め設定された点灯パターンで点灯されると共に、受光制御部／駆動制御部６０により駆動部４０が駆動されて点灯される発光素子と対向する位置に受光部３０が移動され、受光部３０により受光され受光制御部／駆動制御部６０により入力された光量測定値に基づいて発光素子毎の特性データとしての振幅伝達関数特性（ＭＴＦ特性；Modulation Transfer Function特性）を算出する処理である。
【００３７】
ＭＴＦ測定処理での点灯パターンとしては、発光素子を１つ置きに点灯させる点灯パターン（以下、１（ＯＮ）−１（ＯＦＦ）とも称す。）の他に、発光素子を３つ置きに点灯させる点灯パターン（以下、１（ＯＮ）−３（ＯＦＦ）とも称す。）や、発光素子を２つ置きに２素子単位で点灯させる点灯パターン（以下、２（ＯＮ）−２（ＯＦＦ）とも称す。）であってもよい。
【００３８】
第１算出処理は、発光素子毎の特性データに基づいて、予め設定された第１の移動平均区間での発光素子毎の第１の移動平均値を第１演算値として算出する処理である。
第２算出処理は、発光素子毎の特性データに基づいて、第１の移動平均区間よりも大きい予め設定された第２の移動平均区間での発光素子毎の第２の移動平均値を、第１演算値（第１の移動平均値）とは異なる第２演算値として算出する処理である。
【００３９】
第１算出処理の第１の移動平均区間と第２算出処理の第２移動平均区間は、ＬＰＨ１０の光学部の結像レンズの配置構成に起因して定める。
【００４０】
本実施の形態の結像レンズの配置構成は、複数の結像レンズを主走査方向に２列に「俵積み」と呼ばれる配置で配列したものとする。図２１に、「俵積み」した結像レンズの配置例と発光素子との関係を示す。図２１に示すように、「俵積み」とは、円柱状の結像レンズを半径方向に隣接するように並べた第１層に、第１層と同様に並べた第２層の各結像レンズを、第１層の相互に隣接している２つの結像レンズの間に生じる谷間に配置するものである。この「俵積み」の配置では、隣接する２つの結像レンズの軸から軸までの距離が当該２つの結像レンズの半径の和の長さ、即ち直径Ｄの長さとなる。
【００４１】
この「俵積み」の配置の場合、ある発光素子ａから照射された光の光学寄与が最も高い結像レンズＡと、当該結像レンズの次に光学寄与が高い結像レンズＢ１、Ｂ２（即ち、当該結像レンズＡが属する層とは異なる層の結像レンズであって当該結像レンズに隣接する２つの結像レンズＢ１、Ｂ２）と、に起因して黒スジが生じることが知られている。
【００４２】
ＬＰＨの解像度を１２００［ｄｐｉ］（＝２１．２［μｍ］）、結像レンズの直径Ｄを０．５６８［ｎｍ］とした場合、結像レンズの直径Ｄに配列される発光素子の数は、約２６素子となる。図２１に示す発光素子ａが点灯した場合の光学特性は、結像レンズＡによる光学特性Ｌａと結像レンズＢ１、Ｂ２とによる光学特性Ｌｂ１、Ｌｂ２に起因するものである。この結像レンズＡ、Ｂ１、Ｂ２により照射光が受光されて集光される発光素子の素子数は、２つの隣接する結像レンズの直径Ｄに配列される発光素子の数である約５２素子である。従って、５２素子は、黒スジが発生する検出精度に寄与する最小の素子数となり、この素子数を第１の移動平均区間とすることが好ましい。
【００４３】
第２の移動平均区間は、各発光素子のＭＴＦ値をグラフ化したＭＴＦ曲線を平滑化するために必要とする素子数であることが求められ、第１の移動平均区間を５２素子とした場合には、７６８素子が好ましい。
【００４４】
第３算出処理は、発光素子毎に第１演算値としての第１の移動平均値と第２演算値としての第２移動平均値とに基づいて、第２移動平均値から第１の移動平均値を差分した差分値を第３演算値として算出する処理である。
【００４５】
補正対象特定処理は、第３算出処理により算出された第３演算値としての差分値を表示部７３に表示させる処置である。この表示部７３に表示される差分値が予め設定された閾値以上となる発光素子を補正対象発光素子として特定することができる。閾値としては、１．６以上２．０以下であることが好ましい。
【００４６】
記憶部７２は、フラッシュメモリ等の不揮発性のメモリで構成され、各種プログラム及びデータを書き換え可能に記憶する。また、記憶部７２は、ＬＰＨに設けられた各発光素子に対して予め設定された初期の光量補正値（初期光量補正値）を格納した光量補正テーブル、第１〜３光量調整処理に用いられるライン周期、露光時間、ＭＴＦ測定処理に用いられる各種点灯パターン、閾値等の必要な各種データを記憶していると共に、受光部３０により受光されて得られた光量測定値のテーブル（光量測定テーブル）、算出された各発光素子の光量補正値、ＭＴＦ値、差分値等を記憶する。
【００４７】
表示部７３は、ＬＣＤ（Liquid Crystal Display）又は有機ＥＬ（Electronic Luminescent）素子等を用いた表示画面を備え、制御部７１から入力される表示信号に従って、各種設定条件を入力する各種表示画面や各種処理結果等を表示する各種表示画面を表示する。
【００４８】
操作部７４は、各種操作キー群、表示部７３の表示画面を覆うタッチパネル等を有する。操作部７４は、操作キー群又はタッチパネルから入力される操作信号を制御部７１に出力する。
【００４９】
次に、本実施の形態の動作を説明する。
図２に、本実施の形態におけるＬＰＨ評価処理のメインフローチャートを示す。
本処理は、制御部７１と各部との協働により実行されるものである。
【００５０】
制御部７１は、第１光量調整処理を実行させ（ステップＳ１）、第１光量調整処理の実行後、第２光量調整処理を実行させ（ステップＳ２）、第２光量調整処理の実行後、第３光量調整処理を実行させる（ステップＳ３）。
制御部７１により第３光量調整処理の実行が完了すると、ＬＰＨ１０に設けられている発光素子の光量バラツキが予め設定された値以下に調整される。
なお、第１〜３光量調整処理の詳細については後述する。
【００５１】
制御部７１は、発光素子の光量バラツキが調整されたＬＰＨ１０に対して、ＭＴＦ測定処理を実行する（ステップＳ４）。なお、ＭＴＦ測定処理については、点灯パターン毎に発光素子毎にＭＴＦ値を算出する正規処理と、連続して配列された４素子共通のＭＴＦ値を算出する略式処理とがあり、演算効率の向上を図る上では略式処理を用いることが好ましい。なお、点灯パターン毎の正規処理及び略式処理の詳細については後述する。
【００５２】
制御部７１は、ＭＴＦ測定処理の実行後、第１算出処理を実行する（ステップＳ５）。
本実施の形態における第１算出処理は、第１の移動平均区間を５２素子とし、各発光素子を当該第１の移動平均区間の中心として、各発光素子の第１の移動平均値を算出する。
【００５３】
まず、正規処理によりＭＴＦ値が算出された場合の第１算出処理について説明する。
素子番号ｎの発光素子の第１の移動平均値ＭＴＦａ１（ｎ）は、下記の式（１）により算出される。
【００５４】
ＭＴＦａ１（ｎ）
＝（ＭＴＦ（ｎ−２５）＋・・・＋ＭＴＦ（ｎ）＋・・・＋ＭＴＦ（ｎ＋２６））／５２
・・・・（１）
【００５５】
なお、第１の移動平均区間の半数未満の素子番号（ｎ＝１〜２５）の移動平均値を、素子番号ｎ＝２６の発光素子の第１の移動平均値とし、最終の素子番号（例えば、ｎ＝１５３６０）から第１の移動平均区間の半数未満の素子番号（ｎ＝１５３３５〜１５３６０）の第１の移動平均値を、素子番号ｎ＝１５３３４の発光素子の第１の移動平均値とする。
【００５６】
次に、略式処理によりＭＴＦ値が算出された場合の第１算出処理について説明する。
略式処理で算出されたＭＴＦ値は、４つの発光素子毎に共通のＭＴＦ値である。従って、第１の移動平均区間を５２素子とした場合、４素子を１組として１３組単位で第１の移動平均値を算出する。例えば、４の倍数の素子番号の発光素子のＭＴＦ値に基づいて、各組の第１の移動平均値を算出する。組番号ｍに含まれる発光素子のうち最も素子番号が小さい素子番号の発光素子の第１の移動平均値ＭＴＦａ１（ｎ）は、下記の式（２）により算出される。
【００５７】
ＭＴＦａ１（ｎ）＝（ＭＴＦ（ｎ−２４）＋ＭＴＦ（ｎ−２０）＋ＭＴＦ（ｎ−１６）
＋ＭＴＦ（ｎ−１２）＋ＭＴＦ（ｎ−８）＋ＭＴＦ（ｎ−４）
＋ＭＴＦ（ｎ）＋ＭＴＦ（ｎ＋４）＋ＭＴＦ（ｎ＋８）
＋ＭＴＦ（ｎ＋１２）＋ＭＴＦ（ｎ＋１６）＋ＭＴＦ（ｎ＋２０）
＋ＭＴＦ（ｎ＋２４））／１３
・・・・（２）
【００５８】
なお、第１の移動平均区間の半数未満の組（１組目〜６組目）の発光素子の第１の移動平均値を、７組目の発光素子の第１の移動平均値とし、最終組（Ｍ組）から第１の移動平均区間の半数区間の組（Ｍ組〜Ｍ−６組目）の発光素子の第１の移動平均値を、Ｍ−７組目の発光素子の第１の移動平均値とする。
【００５９】
制御部７１は、ＭＴＦ測定処理の実行後、第２算出処理を実行する（ステップＳ６）。
本実施の形態における第２算出処理は、第２の移動平均区間を７６８素子とし、各発光素子を当該第２の移動平均区間の中心として、各発光素子の第２の移動平均値を算出する。
【００６０】
まず、正規処理によりＭＴＦ値が算出された場合の第２算出処理について説明する。
素子番号ｎの発光素子の第２の移動平均値ＭＴＦａ２（ｎ）は、下記の式（３）により算出される。
【００６１】
ＭＴＦａ２（ｎ）
＝（ＭＴＦ（ｎ−３８３）＋・・・＋ＭＴＦ（ｎ）＋・・・＋ＭＴＦ（ｎ＋３８４）／７６８
・・・・（３）
【００６２】
なお、第２の移動平均区間の半数未満の素子番号（ｎ＝１〜３８４）の移動平均値を、素子番号ｎ＝３８５の発光素子の第２の移動平均値とし、最終の素子番号（例えば、ｎ＝１５３６０）から第２の移動平均区間の半数以下の素子番号（ｎ＝１５３３５〜１５３６０）の第２の移動平均値を、素子番号ｎ＝１４９７６の発光素子の第２の移動平均値とする。
【００６３】
次に、略式処理によりＭＴＦ値が算出された場合の第２算出処理について説明する。
上述したように、略式処理で算出されたＭＴＦ値は、４つの発光素子毎に共通のＭＴＦ値である。従って、第２の移動平均区間を７６８素子とした場合、４素子を１組として１９２組単位で第２の移動平均値を算出する。例えば、４の倍数の素子番号の発光素子のＭＴＦ値に基づいて、各組の第２の移動平均値を算出する。組番号ｍに含まれる発光素子のうち最も素子番号が小さい素子番号の発光素子の第２の移動平均値ＭＴＦａ２（ｎ）は、下記の式（４）により算出される。
【００６４】
ＭＴＦａ２（ｎ）＝（ＭＴＦ（ｎ−３８４）＋ＭＴＦ（ｎ−３８０）＋・・・
・・・ＭＴＦ（ｎ−４）＋ＭＴＦ（ｎ）＋ＭＴＦ（ｎ+４）＋・・・
・・・＋ＭＴＦ（ｎ＋３７６）＋ＭＴＦ（ｎ＋３８０）／１９２
・・・・（４）
【００６５】
なお、第２の移動平均区間の半数未満の組（１組目〜９６組目）の発光素子の第２の移動平均値を、９７組目の発光素子（素子番号ｎ＝３８５〜３８８の発光素子）の第２の移動平均値とし、最終組（Ｍ組）から第２の移動平均区間の半数区間の組（Ｍ組〜Ｍ−９６組目）の発光素子の第２の移動平均値を、Ｍ−９７組目の発光素子の第２の移動平均値とする。
【００６６】
制御部７１は、第１算出処理及び第２算出処理後、各発光素子の第２の移動平均値ＭＴＦａ２（ｎ）から第１の移動平均値ＭＴＦａ１（ｎ）を差分した差分値ＭＴＦｄ（ｎ）を算出する第３算出処理を実行する（ステップＳ７）。
【００６７】
制御部７１は、各発光素子の第１の移動平均値、第２の移動平均値、差分値をそれぞれグラフ化すると共に、差分値に対する予め設定された閾値をグラフ化した処理結果画面を表示部７３に表示させ（ステップＳ８）、ＬＰＨ評価処理を終了する。
【００６８】
図３に、第１光量調整処理のフローチャートを示す。
制御部７１は、記憶部７２から予め設定された初期光量補正値が格納された光量補正テーブルを読み出し、ＬＰＨ制御部５０により各発光素子の電流調整値となる初期光量補正値を各発光素子に設定させる（ステップＳ１１）。また制御部７１は、記憶部７２からライン周期、露光時間を読み出し、ＬＰＨ制御部５０によりＬＰＨ１０のライン周期、各発光素子の露光時間をＬＰＨ１０に設定させる（ステップＳ１２）。
【００６９】
制御部７１は、点灯させる素子番号（点灯素子番号）ｎを０に指定した後（ステップＳ１３）、点灯素子番号ｎに１を加算して（ステップＳ１４）、受光制御部／駆動制御部６０により駆動部４０を駆動させて受光部３０を点灯素子番号ｎに対応する位置に移動させる（ステップＳ１５）。
【００７０】
制御部７１は、点灯素子番号ｎの発光素子をＬＰＨ制御部５０により点灯させ（ステップＳ１６）、受光部３０が受光した光量値が受光制御部／駆動制御部６０により変換された光量測定値Ｐ（ｎ）を取得し、光量測定テーブルに格納する（ステップＳ１７）。
【００７１】
制御部７１は、点灯素子番号ｎが最終番目の素子番号であるか否かを判別する（ステップＳ１８）。ステップＳ１８において、点灯素子番号ｎが最終番目の素子番号でない場合（ステップＳ１８；Ｎｏ）、第１光量調整処理はステップＳ１４に戻り、点灯素子番号ｎが最終番目の素子番号である場合（ステップＳ１８；Ｙｅｓ）、第１光量調整処理は終了する。
【００７２】
図４に、第２光量調整処理のフローチャートを示す。
制御部７１は、記憶部７２に記憶されている光量測定テーブルを読み出し（ステップＳ２１）、各発光素子の光量測定値から全発光素子の平均光量Ｐａを算出し（ステップＳ２２）、光量補正テーブルの展開領域を記憶部７２に確保する（ステップＳ２３）。
【００７３】
制御部７１は、参照する発光素子の素子番号（参照素子番号）ｎを１に設定し（ステップＳ２４）、光量補正テーブルに格納されている参照素子番号ｎの光量補正値ＴＴ（ｎ）を読み出す（ステップＳ２５）。
【００７４】
制御部７１は、読み出した参照素子番号ｎの光量補正値ＴＴ（ｎ）、当該参照素子番号ｎの光量測定値Ｐ（ｎ）、平均光量Ｐａに基づいて、当該光量補正値ＴＴ（ｎ）に補正を行ない、新たな光量補正値ＴＴ（ｎ）を算出する（ステップＳ２６）。具体的には、光量測定値Ｐ（ｎ）を平均光量Ｐａで除算した値から１を減算した値に読み出した光量補正値ＴＴ（ｎ）を加算して、新たな光量補正値ＴＴ（ｎ）とする。下記の式（５）に、新たな光量補正値ＴＴ（ｎ）の算出式を示す。
【００７５】
ＴＴ（ｎ）＝ＴＴ（ｎ）＋（Ｐ（ｎ）／Ｐａ−１）              ・・・・（５）
【００７６】
制御部７１は、ステップＳ２６にて算出した光量補正値ＴＴ（ｎ）を光量補正テーブルに上書きして保存し（ステップＳ２７）、参照素子番号ｎに１を加算する（ステップＳ２８）。
【００７７】
制御部７１は、参照素子番号ｎが最終番目の素子番号に１を加算した値であるか否かを判別する（ステップＳ２９）。ステップＳ２９において、参照素子番号ｎが最終番目の素子番号に１を加算した値でない場合（ステップＳ２９；Ｎｏ）、第２光量調整処理はステップＳ２５に戻り、参照素子番号ｎが最終番目の素子番号に１を加算した値である場合（ステップＳ２９；Ｙｅｓ）、第２光量調整処理は終了する。
【００７８】
図５に、第３光量調整処理のフローチャートを示す。
制御部７１は、記憶部７２に記憶されている光量補正テーブル（即ち、第２光量調整処理により算出された光量補正値が格納されている光量補正テーブル）を読み出し、ＬＰＨ制御部５０により各発光素子の電流調整値となる光量補正値を各発光素子に設定させる（ステップＳ３１）。なお、ステップＳ３２〜Ｓ３８は、第１光量調整処理のステップＳ１２〜Ｓ１８と同様であるため、説明は省略する。
【００７９】
制御部７１は、本処理により生成された光量補正テーブルを読み出し（ステップＳ３９）、各発光素子の光量測定値から全発光素子の平均光量Ｐａを算出する（ステップＳ４０）。
【００８０】
制御部７１は、各発光素子の光量測定値Ｐ（ｎ）、平均光量Ｐａに基づいて、各発光素子の光量バラツキΔＰ（ｎ）を算出する（ステップＳ４１）。具体的には、光量測定値Ｐ（ｎ）から平均光量Ｐａを除算した値に１００を乗算してパーセント［％］で示した値を光量バラツキΔＰ（ｎ）として算出する。下記の式（６）に、素子番号ｎの発光素子の光量バラツキΔＰ（ｎ）の算出式を示す。
【００８１】
ΔＰ（ｎ）＝（Ｐ（ｎ）−Ｐａ）×１００［％］                    ・・・・（６）
【００８２】
制御部７１は、全ての発光素子の光量バラツキΔＰ（ｎ）が±５［％］以内であるか否かを判別する（ステップＳ４２）。ステップＳ４２において、全ての発光素子の光量バラツキΔＰ（ｎ）が±５［％］以内でない場合（ステップＳ４２；Ｎｏ）、第２光量調整処理に戻って（ステップＳ４３）第３光量調整処理は終了し、全ての発光素子の光量バラツキΔＰ（ｎ）が±５［％］以内である場合（ステップＳ４２；Ｙｅｓ）、第３光量調整処理は終了する。
【００８３】
第１〜３光量調整処理を実行して全ての発光素子の光量バラツキを所定範囲（±５［％］以内に調整することにより、後に実行されるＭＴＦ測定処理で算出される各発光素子のＭＴＦ値の算出精度を向上できるため、補正対象発光素子の特定精度の信頼性を向上させることができる。
【００８４】
次に、ＭＴＦ測定処理について説明する。
本実施の形態のおけるＭＴＦ測定処理での点灯パターンは、１（ＯＮ）−１（ＯＦＦ）、、１（ＯＮ）−３（ＯＦＦ）、２（ＯＮ）−２（ＯＦＦ）の３つの点灯パターンがある。本実施の形態におけるＭＴＦ測定処理の種類は、いずれかの点灯パターンと正規処理又は略式処理のＭＴＦ算出処理との組み合わせがある。ステップＳ４で実行されるＭＴＦ測定処理は、いずれかの組み合わせによるＭＴＦ測定処理を用いる。
【００８５】
まず、従来から最も多く用いられている１（ＯＮ）−１（ＯＦＦ）の点灯パターンでのＭＴＦ測定処理を説明する。
以下、１（ＯＮ）−１（ＯＦＦ）の正規処理のＭＴＦ測定処理について説明する。
まず、１（ＯＮ）−１（ＯＦＦ）の点灯パターンでの正規処理のＭＴＦ測定処理では、先頭の発光素子から１素子おきの発光素子（例えば、奇数番号の発光素子（素子番号ｎ＝１，３，５・・・））が順次点灯されると共に受光部３０が点灯される発光素子の位置に移動され、当該点灯された発光素子に対する最大光量値と最小光量値とに基づいて点灯された各発光素子（例えば、奇数番号の発光素子）のＭＴＦ値が制御部７1により算出される。次に、１（ＯＮ）−１（ＯＦＦ）の点灯パターンでの正規処理のＭＴＦ測定処理では、点灯されていない発光素子（例えば、偶数番目の発光素子（素子番号ｎ＝２，４，６・・・））が順次点灯されると共に受光部３０が点灯される発光素子の位置に移動され、当該点灯された発光素子に対する最大光量値と最小光量値とに基づいて当該点灯された各発光素子（例えば、偶数番目の発光素子）のＭＴＦ値が制御部７１により算出される。
【００８６】
図６に、１（ＯＮ）−１（ＯＦＦ）の点灯パターンの正規処理でのＭＴＦ測定処理のフローチャートを示す。
制御部７１は、測定前に各部の初期設定を行なう（ステップＳ５１）。例えば、受光制御部／駆動制御部６０により受光部３０をガイドレール上の原点位置に移動させたり、受光部３０のリファレンス調整、受光制御部／駆動制御部６０内のＡ／Ｄ変換回路や格納メモリの初期設定等を行なう。
【００８７】
制御部７１は、ステップＳ５１の後、記憶部７２から光量補正テーブルを読み出し、ＬＰＨ制御部５０により各発光素子の電流調整値となる光量補正値を各発光素子に設定させる（ステップＳ５２）。ステップＳ５２で読み出される光量補正テーブルは、第２光量調整処理により算出された光量補正値が格納されている光量補正テーブルである。
また制御部７１は、記憶部７２からライン周期、露光時間を読み出し、ＬＰＨ制御部５０によりＬＰＨ１０のライン周期、各発光素子の露光時間をＬＰＨ１０に設定させる（ステップＳ５３）。
【００８８】
制御部７１は、ＬＰＨ制御部５０により点灯パターンを奇数番目の発光素子（素子番号ｎ＝１，３，５・・・）を順次点灯する１（ＯＮ）−１（ＯＦＦ）に設定させる（ステップＳ５４）。制御部７１は、受光制御部／駆動制御部６０により受光部３０を原点位置に移動させ、また、制御部７１は参照素子番号ｎを０に設定する（ステップＳ５５）。
【００８９】
制御部７１は、参照素子番号ｎに１を加算し（ステップＳ５６）、受光制御部／駆動制御部６０により駆動部４０を駆動させて受光部３０を参照素子番号ｎに対応する位置に移動させ、参照素子番号ｎの発光素子をＬＰＨ制御部５０により点灯させる（ステップＳ５７）。制御部７１は、受光部３０が受光した光量値が受光制御部／駆動制御部６０により変換された光量測定値Ｐ（ｎ）を点灯された発光素子の最大光量値Ａとして取得する（ステップＳ５８）。
【００９０】
制御部７１は、参照素子番号ｎに１を加算し（ステップＳ５９）、受光制御部／駆動制御部６０により駆動部４０を駆動させて受光部３０を参照素子番号ｎに対応する位置に移動させる（ステップＳ６０）。制御部７１は、受光部３０が受光した光量値が受光制御部／駆動制御部６０により変換された光量測定値Ｐ（ｎ）をステップＳ５７で点灯された発光素子の最小光量値Ｂとして取得する（ステップＳ６１）。
【００９１】
制御部７１は、ステップＳ５８において取得した最大光量値Ａ、ステップＳ６１において取得した最小光量値Ｂに基づいて参照素子番号ｎ−１のＭＴＦ値ＭＴＦ（ｎ−１）を算出する（ステップＳ６２）。ステップＳ６２におけるＭＴＦ値の算出は、下記の式（７）により算出される。
【００９２】
ＭＴＦ（ｎ−１）＝｛（Ａ−Ｂ）／（Ａ＋Ｂ）｝×１００［％］        ・・・・（７）
【００９３】
制御部７１は、参照素子番号ｎが最終番目の素子番号であるか否かを判別する（ステップＳ６３）。ステップＳ６３において、参照素子番号ｎが最終番目の素子番号でない場合（ステップＳ６３；Ｎｏ）、１（ＯＮ）−１（ＯＦＦ）の点灯パターンの正規処理でのＭＴＦ測定処理は、ステップＳ５６に戻る。ステップＳ５６〜Ｓ６３までの処理を、以下、第１ＭＴＦ算出処理という。
【００９４】
ステップＳ６３において、参照素子番号ｎが最終番目の素子番号である場合（ステップＳ６３；Ｙｅｓ）、制御部７１は、ＬＰＨ制御部５０により点灯パターンを偶数番目の発光素子（ｎ＝２，４，６・・・）を順次点灯する１（ＯＮ）−１（ＯＦＦ）に設定させる（ステップＳ６４）。制御部７１は、受光制御部／駆動制御部６０により受光部３０を原点位置に移動させ、また、制御部７１は、参照素子番号ｎを０に設定する（ステップＳ６５）。そして、制御部７１は、参照素子番号ｎを１に設定（ステップＳ６６）後、第１ＭＴＦ算出処理を実行し（ステップＳ６７）、１（ＯＮ）−１（ＯＦＦ）の点灯パターンの正規処理でのＭＴＦ測定処理が終了する。
【００９５】
次に、１（ＯＮ）−１（ＯＦＦ）の略式処理のＭＴＦ測定処理について説明する。
１（ＯＮ）−１（ＯＦＦ）の点灯パターンの略式処理のＭＴＦ測定処理は、２つの連続して配置された発光素子を１組とし、各組のどちらか一方の発光素子のＭＴＦ値を算出し、当該ＭＴＦ値を組共通のＭＴＦ値とする処理である。
【００９６】
本実施の形態における１（ＯＮ）−１（ＯＦＦ）の点灯パターンの略式処理のＭＴＦ測定処理では、先頭の発光素子から１素子おきの発光素子（例えば、奇数番号の発光素子（素子番号ｎ＝１，３，５・・・））が順次点灯されると共に受光部３０が点灯される発光素子の位置に移動され、当該点灯された発光素子に対する最大光量値と最小光量値とに基づいて点灯された各発光素子（例えば、奇数番号の発光素子）のＭＴＦ値が制御部７１により算出される。１（ＯＮ）−１（ＯＦＦ）の点灯パターンの略式処理のＭＴＦ測定処理は、当該各ＭＴＦ値を、点灯された発光素子（例えば、奇数番号の発光素子）と当該発光素子に隣接する発光素子（例えば、偶数番号の発光素子）との共通のＭＴＦ値とする処理である。
【００９７】
従って、正規処理が全ての発光素子を点灯させて各発光素子のＭＴＦ値を算出する処理であるのに対し、略式処理では、第１ＭＴＦ処理が１回の実行となるので、正規処理に比べて点灯される発光素子の数を半減させ、測定・演算処理を短縮化することができる。
【００９８】
図７に、１（ＯＮ）−１（ＯＦＦ）の点灯パターンの略式処理でのＭＴＦ測定処理のフローチャートを示す。なお、ステップＳ７１〜Ｓ８１は、図６に示すステップＳ５１〜６１と同様であるため、説明は省略する。
【００９９】
制御部７１は、ステップＳ７８において取得した最大光量値Ａ及びステップＳ８１において取得した最小光量値Ｂに基づいて、参照素子番号ｎ−１と参照素子番号ｎとの共通のＭＴＦ値ＭＴＦ（ｎ−１、ｎ）を算出する（ステップＳ８２）。ステップＳ８２におけるＭＴＦ値の算出は、下記の式（８）により算出される。
【０１００】
ＭＴＦ（ｎ−１、ｎ）＝｛（Ａ−Ｂ）／（Ａ＋Ｂ）｝×１００［％］    ・・・・（８）
【０１０１】
制御部７１は、参照素子番号ｎが最終番目の素子番号であるか否かを判別する（ステップＳ８３）。ステップＳ８３において、参照素子番号ｎが最終番目の素子番号でない場合（ステップＳ８３；Ｎｏ）、１（ＯＮ）−１（ＯＦＦ）の点灯パターンの略式処理でのＭＴＦ測定処理はステップＳ７６に戻る。参照素子番号ｎが最終番目の素子番号である場合（ステップＳ８３；Ｙｅｓ）、１（ＯＮ）−１（ＯＦＦ）の点灯パターンの略式処理でのＭＴＦ測定処理は終了する。
【０１０２】
次に、１（ＯＮ）−３（ＯＦＦ）の点灯パターンでのＭＴＦ測定処理を説明する。
まず、１（ＯＮ）−３（ＯＦＦ）の正規処理のＭＴＦ測定処理について説明する。
１（ＯＮ）−３（ＯＦＦ）の点灯パターンでの正規処理のＭＴＦ測定処理は、４つの連続して配置された発光素子を１組とし、素子毎にＭＴＦ値が算出される処理である。
【０１０３】
１（ＯＮ）−３（ＯＦＦ）の点灯パターンでの正規処理のＭＴＦ測定処理では、まず、制御部７１により、各組の一端部に配置された発光素子のＭＴＦ値が算出され、次に、各組の一端部に隣接する素子のＭＴＦ値が算出され、各組の他端部に隣接する素子のＭＴＦ値が算出され、最後に、各組の他端部に配置された素子のＭＴＦ値が算出される。
【０１０４】
図８に１（ＯＮ）−３（ＯＦＦ）の点灯パターンの正規処理でのＭＴＦ測定処理のフローチャートを示し、図９に本処理での点灯パターン例を示す。なお、ステップＳ９１〜Ｓ９３は、図６に示すステップＳ６１〜６３と同様であるため、説明は省略する。
【０１０５】
制御部７１は、ＬＰＨ制御部５０により点灯パターンを各組の一端部に配置された発光素子を順次点灯する１（ＯＮ）−３（ＯＦＦ）に設定させる（ステップＳ９４）。制御部７１は、受光制御部／駆動制御部６０により受光部３０を原点位置に移動させ、また、制御部７１は、参照素子番号ｎを０に設定する（ステップＳ９５）。
【０１０６】
制御部７１は、参照素子番号ｎに１を加算し（ステップＳ９６）、受光制御部／駆動制御部６０により駆動部４０を駆動させて受光部３０を参照素子番号ｎに対応する位置に移動させ、参照素子番号ｎの発光素子をＬＰＨ制御部５０により点灯させる（ステップＳ９７）。制御部７１は、受光部３０が受光した光量値が受光制御部／駆動制御部６０により変換された光量測定値Ｐ（ｎ）を点灯された発光素子の最大光量値Ａとして取得する（ステップＳ９８）。
【０１０７】
制御部７１は、参照素子番号ｎに２を加算し（ステップＳ９９）、受光制御部／駆動制御部６０により駆動部４０を駆動させて受光部３０を参照素子番号ｎに対応する位置に移動させる（ステップＳ１００）。制御部７１は、受光部３０が受光した光量値が受光制御部／駆動制御部６０により変換された光量測定値Ｐ（ｎ）をステップＳ９７で点灯された発光素子の最小光量値Ｂとして取得する（ステップＳ１０１）。
【０１０８】
制御部７１は、ステップＳ９８において取得した最大光量値Ａ及びステップＳ１０１において取得した最小光量値Ｂに基づいて、参照素子番号ｎ−２のＭＴＦ値ＭＴＦ（ｎ−２）を算出する（ステップＳ１０２）。ステップＳ１０２におけるＭＴＦ値の算出式は、上述した式（８）と同様である。
【０１０９】
制御部７１は、参照素子番号ｎが最終番目の素子番号であるか否かを判別する（ステップＳ１０３）。ステップＳ１０３において、参照素子番号ｎが最終番目の素子番号でない場合（ステップＳ１０３；Ｎｏ）、参照素子番号ｎには２が加算され（ステップＳ１０４）、ステップＳ９７に戻る。ステップＳ９６〜Ｓ１０４までの処理を、以下、第２ＭＴＦ算出処理という。
【０１１０】
ステップＳ９４〜Ｓ１０４の処理では、各組の一端部に配置された発光素子（例えば、図９（ａ）に示すような素子番号ｎ＝１，５，９・・・の発光素子）が順次点灯されると共に受光部３０が点灯される発光素子の位置に移動され、点灯された発光素子に対する最大光量値が取得される。また、ステップＳ９４〜Ｓ１０４の処理では、点灯された発光素子と同一の組の素子である３つの連続した発光素子のうち、中央の位置の発光素子（例えば、素子番号ｎ＝３，７，１１・・・の発光素子）の位置に受光部３０が移動され、点灯された発光素子に対する最小光量値が取得される。そして、ステップＳ９４〜Ｓ１０４の処理では、最大光量値と最小光量値に基づいて点灯された発光素子のＭＴＦ値が算出され、当該ＭＴＦ値が各組の一端部の発光素子のＭＴＦ値となる。
【０１１１】
制御部７１は、参照素子番号ｎが最終番目の素子番号である場合（ステップＳ１０３；Ｙｅｓ）、ＬＰＨ制御部５０により点灯パターンを各組の一端部に隣接する発光素子を順次点灯する１（ＯＮ）−３（ＯＦＦ）に設定させる（ステップＳ１０５）。制御部７１は、受光制御部／駆動制御部６０により受光部３０を原点位置に移動させ、また、制御部７１は、参照素子番号ｎを０に設定する（ステップＳ１０６）。そして、制御部７１は、参照素子番号ｎを１に設定（ステップＳ１０７）後、第２ＭＴＦ算出処理を実行する（ステップＳ１０８）。
【０１１２】
ステップＳ１０５〜Ｓ１０８の処理では、各組の一端部に隣接する発光素子（例えば、図９（ｂ）に示すような素子番号ｎ＝２，６，１０・・・の発光素子）が順次点灯されると共に受光部３０が点灯される発光素子の位置に移動され、点灯された発光素子に対する最大光量値が取得される。また、ステップＳ１０５〜Ｓ１０８の処理では、点灯された発光素子に隣接した３つの連続した素子のうち、中央の位置の素子であって、当該点灯された発光素子と同一組の発光素子（例えば、素子番号ｎ＝４，８，１２・・・の発光素子）の位置に受光部３０が移動され、点灯された発光素子に対する最小光量値が取得される。そして、ステップＳ１０５〜Ｓ１０８の処理では、最大光量値と最小光量値に基づいてＭＴＦ値が算出され、当該ＭＴＦ値が各組の一端部に隣接する発光素子のＭＴＦ値となる。
【０１１３】
制御部７１は、ステップＳ１０８後、ＬＰＨ制御部５０により点灯パターンを各組の他端部に隣接する発光素子を順次点灯する１（ＯＮ）−３（ＯＦＦ）に設定させる（ステップＳ１０９）。制御部７１は、受光制御部／駆動制御部６０により受光部３０を原点位置に移動させ、また、制御部７１は、参照素子番号ｎを０に設定する（ステップＳ１１０）。そして、制御部７１は、参照素子番号ｎを２に設定（ステップＳ１１１）後、第２ＭＴＦ算出処理を実行する（ステップＳ１１２）。
【０１１４】
ステップＳ１０９〜Ｓ１１２の処理では、制御部７１により各組の他端部に隣接する発光素子（例えば、図９（ｃ）に示すような素子番号ｎ＝３，７，１１・・・の発光素子）が順次点灯されると共に受光部３０が点灯される発光素子の位置に移動され、点灯された発光素子に対する最大光量値が取得される。また、ステップＳ１０９〜Ｓ１１２の処理では、点灯された発光素子に隣接した３つの連続した素子のうち、中央の位置の素子であって当該点灯された発光素子と同一組でない発光素子（例えば、素子番号ｎ＝５，９，１３・・・の発光素子）の位置に受光部３０が移動され、点灯された発光素子に対する最小光量値が取得される。そして、ステップＳ１０９〜Ｓ１１２の処理では、最大光量値と最小光量値に基づいてＭＴＦ値が算出され、当該ＭＴＦ値が各組の他端部に隣接する発光素子のＭＴＦ値となる。
【０１１５】
制御部７１は、ステップＳ１１２後、ＬＰＨ制御部５０により点灯パターンを各組の他端部に配置された発光素子を順次点灯する１（ＯＮ）−３（ＯＦＦ）に設定させる（ステップＳ１１３）。制御部７１は、受光制御部／駆動制御部６０により受光部３０を原点位置に移動させ、また、制御部７１は、参照素子番号ｎを０に設定する（ステップＳ１１４）。そして、制御部７１は、参照素子番号ｎを３に設定（ステップＳ１１５）後、第２ＭＴＦ算出処理を実行し（ステップＳ１１６）、１（ＯＮ）−３（ＯＦＦ）の正規処理のＭＴＦ測定処理が終了する。
【０１１６】
ステップＳ１１３〜Ｓ１１６の処理では、各組の他端部に配置された発光素子（例えば、図９（ｄ）に示すような素子番号ｎ＝４，８，１２・・・の発光素子）が順次点灯されると共に受光部３０が点灯される発光素子の位置に移動され、点灯された発光素子に対する最大光量値が取得される。また、ステップＳ１１３〜Ｓ１１６の処理では、点灯された発光素子に隣接する他の組の発光素子である３つの連続した発光素子のうち中央の位置の発光素子（例えば、素子番号ｎ＝６，１０，１４・・・の発光素子）の位置に受光部３０が移動され、点灯された発光素子に対する最小光量値が取得される。そして、ステップＳ１１３〜Ｓ１１６の処理では、最大光量値と最小光量値に基づいてＭＴＦ値が算出され、当該ＭＴＦ値が各組の他端部に配置された発光素子のＭＴＦ値となる。
【０１１７】
次に、１（ＯＮ）−３（ＯＦＦ）の略式処理のＭＴＦ測定処理について説明する。
１（ＯＮ）−３（ＯＦＦ）の点灯パターンの略式処理のＭＴＦ測定処理は、４つの連続して配置された発光素子を１組とし、各組のいずれか一つの発光素子のＭＴＦ値を算出し、当該ＭＴＦ値を組共通のＭＴＦ値とする処理である。
【０１１８】
１（ＯＮ）−３（ＯＦＦ）の点灯パターンの略式処理のＭＴＦ測定処理では、先頭の発光素子から３素子おきの発光素子（例えば、素子番号ｎ＝１，５，９・・・の発光素子）が順次点灯され、点灯された発光素子に対する最大光量値が取得され、また、点灯した素子間の３つの連続した発光素子のうち中央の位置の発光素子（例えば、素子番号ｎ＝３，７，１１・・・の発光素子）の位置に受光部３０が移動され、点灯された発光素子に対する最小光量値が取得される。そして、１（ＯＮ）−３（ＯＦＦ）の点灯パターンの略式処理のＭＴＦ測定処理では、最大光量値と最小光量値に基づいてＭＴＦ値が算出され、当該ＭＴＦ値が各組の共通のＭＴＦ値となる。
【０１１９】
従って、正規処理が、３素子おきの発光素子を順次点灯させてＭＴＦ値を算出する処理を、最初に点灯する素子を異ならせて４回繰り返すことにより全ての発光素子を点灯させて各発光素子のＭＴＦ値を算出する処理であるのに対し、略式処理では、第２ＭＴＦ処理が１回の実行となるので、正規処理に比べて点灯される発光素子の数を１／４に減少させ、測定・演算処理を短縮化することができる。
【０１２０】
図１０に、１（ＯＮ）−３（ＯＦＦ）の点灯パターンの略式処理でのＭＴＦ測定処理のフローチャートを示す。なお、ステップＳ１２１〜Ｓ１３１は、図８に示すステップＳ９１〜１０１と同様であるため、説明は省略する。
【０１２１】
制御部７１は、ステップＳ１２８において取得した最大光量値Ａ及びステップＳ１３１において取得した最小光量値Ｂに基づいて参照素子番号ｎ−２〜ｎ＋１の共通のＭＴＦ値ＭＴＦ（ｎ−２〜ｎ＋１）を算出する（ステップＳ１３２）。ステップＳ１３２におけるＭＴＦ値の算出式、上述した式（８）と同様である。
【０１２２】
制御部７１は、参照素子番号ｎが最終番目の素子番号であるか否かを判別する（ステップＳ１３３）。ステップＳ１３３において、参照素子番号ｎが最終番目の素子番号でない場合（ステップＳ１３３；Ｎｏ）、参照素子番号ｎには２が加算され（ステップＳ１３４）ステップＳ１２７に戻り、参照素子番号ｎが最終番目の素子番号である場合（ステップＳ１３３；Ｙｅｓ）、１（ＯＮ）−３（ＯＦＦ）の点灯パターンの略式処理のＭＴＦ測定処理が終了する。
【０１２３】
このように、発光素子を３つ置きに点灯させる１（ＯＮ）−３（ＯＦＦ）の点灯パターンを採用してＭＴＦ値を算出することにより、ＬＰＨ１０の解像度に応じて発光素子毎の特性データ（ＭＴＦ値）を得ることができるため、補正対象発光素子の特定精度を向上できる。また、長尺なＬＰＨであっても効率的にＭＴＦデータを測定できる。
【０１２４】
次に、２（ＯＮ）−２（ＯＦＦ）の点灯パターンでのＭＴＦ測定処理を説明する。
まず、２（ＯＮ）−２（ＯＦＦ）の正規処理のＭＴＦ測定処理について説明する。
２（ＯＮ）−２（ＯＦＦ）の点灯パターンでの正規処理のＭＴＦ測定処理は、４つの連続して配置された発光素子を１組とし、２素子単位でＭＴＦ値が算出される処理である。
【０１２５】
２（ＯＮ）−２（ＯＦＦ）の点灯パターンでの正規処理のＭＴＦ測定処理では、まず、制御部７１により各組の一端部及び一端部に隣接する発光素子のＭＴＦ値が算出され、次に、各組の他端部及び他端部に隣接する素子のＭＴＦ値が算出される。
【０１２６】
図１１に２（ＯＮ）−２（ＯＦＦ）の点灯パターンの正規処理でのＭＴＦ測定処理のフローチャートを示し、図１２に本処理での点灯パターン例を示す。なお、ステップＳ１４１〜Ｓ１４３は、図６に示すステップＳ６１〜６３と同様であるため、説明は省略する。
【０１２７】
制御部７１は、ＬＰＨ制御部５０により点灯パターンを各組の一端部及び一端部に隣接する発光素子を２素子単位で順次点灯する２（ＯＮ）−２（ＯＦＦ）に設定させる（ステップＳ１４４）。制御部７１は、受光制御部／駆動制御部６０により受光部３０を原点位置に移動させ、また、制御部７１は、参照素子番号ｎを０に設定する（ステップＳ１４５）。
【０１２８】
制御部７１は、参照素子番号ｎに１を加算し（ステップＳ１４６）、受光制御部／駆動制御部６０により駆動部４０を駆動させて受光部３０を参照素子番号ｎに対応する位置に移動させ、参照素子番号ｎ及びｎ＋１の発光素子をＬＰＨ制御部５０により点灯させる（ステップＳ１４７）。制御部７１は、受光部３０が受光した光量値が受光制御部／駆動制御部６０により変換された光量測定値Ｐ（ｎ）を点灯された２つの発光素子の共通の最大光量値Ａとして取得する（ステップＳ１４８）。
【０１２９】
制御部７１は、参照素子番号ｎに２を加算し（ステップＳ１４９）、受光制御部／駆動制御部６０により駆動部４０を駆動させて受光部３０を参照素子番号ｎに対応する位置に移動させる（ステップＳ１５０）。制御部７１は、受光部３０が受光した光量値が受光制御部／駆動制御部６０により変換された光量測定値Ｐ（ｎ）をステップＳ１４７で点灯された２つの発光素子の共通の最小光量値Ｂとして取得する（ステップＳ１５１）。
【０１３０】
制御部７１は、ステップＳ１４８において取得した最大光量値Ａ及びステップＳ１５１において取得した最小光量値Ｂに基づいて、参照素子番号ｎ−２、ｎ−１共通のＭＴＦ値ＭＴＦ（ｎ−２、ｎ−１）を算出する（ステップＳ１５２）。ステップＳ１５２におけるＭＴＦ値の算出式は、上述した式（８）と同様である。
【０１３１】
制御部７１は、参照素子番号ｎが最終番目の素子番号であるか否かを判別する（ステップＳ１５３）。ステップＳ１５３において、参照素子番号ｎが最終番目の素子番号でない場合（ステップＳ１５３；Ｎｏ）、参照素子番号ｎには２が加算され（ステップＳ１５４）、ステップＳ１４７に戻る。ステップＳ１４６〜Ｓ１５４までの処理を、以下、第３ＭＴＦ算出処理という。
【０１３２】
ステップＳ１４４〜Ｓ１５４の処理では、各組の一端部及び一端部に隣接する発光素子（例えば、図１２（ａ）に示すような素子番号ｎ＝１，２，５，６，９，１０・・・の発光素子）が２素子単位で順次点灯されると共に受光部３０が点灯される発光素子のいずれか一方の位置に移動され、点灯された２つの発光素子に対する最大光量値が取得される。また、ステップＳ１４４〜Ｓ１５４の処理では、各組の点灯されていない発光素子（例えば、図１２（ａ）に示すような素子番号ｎ＝３，４，７，８，１１，１２・・・）のいずれか一方の位置に受光部３０が移動され、点灯された発光素子に対する最小光量値が取得される。そして、ステップＳ１４４〜Ｓ１５４の処理では、最大光量値と最小光量値に基づいてＭＴＦ値が算出され、当該ＭＴＦ値が各組の一端部及び一端部に隣接する発光素子の共通のＭＴＦ値となる。
【０１３３】
制御部７１は、参照素子番号ｎが最終番目の素子番号である場合（ステップＳ１５３；Ｙｅｓ）、ＬＰＨ制御部５０により点灯パターンを各組の他端部及び他端部に隣接する発光素子を２素子単位で順次点灯する２（ＯＮ）−２（ＯＦＦ）に設定させる（ステップＳ１５５）。制御部７１は、受光制御部／駆動制御部６０により受光部３０を原点位置に移動させ、また、制御部７１は、参照素子番号ｎを０に設定する（ステップＳ１５６）。そして、制御部７１は、参照素子番号ｎに２を加算し（ステップＳ１５７）、第３ＭＴＦ算出処理を実行する（ステップＳ１５８）。
【０１３４】
ステップＳ１５５〜Ｓ１５８の処理では、各組の他端部及び他端部に隣接する発光素子（例えば、図１２（ｂ）に示すような素子番号ｎ＝３，４，７，８，１１，１２・・・の発光素子）が２素子単位で順次点灯されると共に受光部３０が点灯される発光素子のいずれか一方の位置に移動され、点灯された２つの発光素子に対する最大光量値が取得される。また、ステップＳ１５５〜Ｓ１５８の処理では、点灯された各発光素子よりも２素子分だけ点灯順が遅い発光素子（例えば、図１２（ｂ）に示すような素子番号ｎ＝５，６，９，１０，・・・）のいずれか一方の位置に受光部３０が移動され、点灯された発光素子に対する最小光量値が取得される。そして、ステップＳ１５５〜Ｓ１５８の処理では、最大光量値と最小光量値に基づいてＭＴＦ値が算出され、当該ＭＴＦ値が各組の他端部及び他端部に隣接する発光素子の共通のＭＴＦ値となる。
【０１３５】
次に、２（ＯＮ）−２（ＯＦＦ）の略式処理のＭＴＦ測定処理について説明する。
２（ＯＮ）−２（ＯＦＦ）の点灯パターンの略式処理のＭＴＦ測定処理は、４つの連続して配置された発光素子を１組とし、各組の連続して配置された２つの発光素子のＭＴＦ値を算出し、当該ＭＴＦ値を組共通のＭＴＦ値とする処理である。
【０１３６】
２（ＯＮ）−２（ＯＦＦ）の点灯パターンの略式処理のＭＴＦ測定処理では、先頭の発光素子から２素子おきの２つの発光素子（例えば、素子番号ｎ＝１，２，５，６，９，１０・・・の発光素子）が２素子単位で順次点灯され、点灯された各組の２つの発光素子に対する最大光量値が取得され、また、点灯されていない連続した２つの発光素子（例えば、素子番号ｎ＝３，４，７，８，１１，１２・・・の発光素子）のいずれか一方の位置に受光部３０が移動され、点灯された２つの発光素子に対する最小光量値が取得される。そして、２（ＯＮ）−２（ＯＦＦ）の点灯パターンの略式処理のＭＴＦ測定処理では、最大光量値と最小光量値に基づいてＭＴＦ値が算出され、当該ＭＴＦ値が各組の共通のＭＴＦ値となる処理である。
【０１３７】
従って、正規処理が、２素子おきに２素子単位で発光素子を順次点灯させてＭＴＦ値を算出する処理を最初に点灯する素子を異ならせて２回繰り返すことにより全ての発光素子を点灯させて２素子毎に共通のＭＴＦ値を算出する処理であるのに対し、略式処理では、第３ＭＴＦ処理が１回の実行となるので、正規処理に比べて点灯される発光素子の数を半減させ、測定・演算処理を短縮化することができる。
【０１３８】
図１３に、２（ＯＮ）−２（ＯＦＦ）の点灯パターンの略式処理でのＭＴＦ測定処理のフローチャートを示す。なお、ステップＳ１６１〜Ｓ１７１は、図１１に示すステップＳ１４１〜１５１と同様であるため、説明は省略する。
【０１３９】
制御部７１は、ステップＳ１６８において取得した最大光量値Ａ及びステップＳ１７１において取得した最小光量値Ｂに基づいて参照素子番号ｎ−２〜ｎ＋１の共通のＭＴＦ値ＭＴＦ（ｎ−２〜ｎ＋１）を算出する（ステップＳ１７２）。ステップＳ１７２におけるＭＴＦ値の算出式は、上述した式（８）と同様である。
【０１４０】
制御部７１は、参照素子番号ｎが最終番目の素子番号であるか否かを判別する（ステップＳ１７３）。ステップＳ１７３において、参照素子番号ｎが最終番目の素子番号でない場合（ステップＳ１７３；Ｎｏ）、参照素子番号ｎには２が加算され（ステップＳ１７４）、ステップＳ１６７に戻り、参照素子番号ｎが最終番目の素子番号である場合（ステップＳ１７３；Ｙｅｓ）、２（ＯＮ）−２（ＯＦＦ）の点灯パターンの略式処理のＭＴＦ測定処理が終了する。
【０１４１】
このように、発光素子を２つ置きに点灯させる２（ＯＮ）−２（ＯＦＦ）の点灯パターンを採用してＭＴＦ値を算出することにより、２素子共通の特性データ（ＭＴＦ値）を得ることができ、１／２解像度のＬＰＨの特性データ（ＭＴＦ値）に近似することができ、１／２解像度の画像をも形成するＬＰＨである場合に有効である。
【０１４２】
次に、ステップＳ８において表示部７３に表示される処理結果画面について説明する。
図１４に、処理結果画面の例を示す。
図１４に示すように、処理結果画面には、各発光素子の第１の移動平均値をグラフ化した第１移動平均線Ａ１と、各発光素子の第２の移動平均値をグラフ化した第２移動平均線Ａ２と、各発光素子の差分値をグラフ化した差分値線Ｄと、閾値を示す閾値線Ｆと、が示されている。
【０１４３】
図１４に示すように、ＬＰＨ評価処理の処理結果を示す処理結果画面が表示部７３に表示されるので、差分値線Ｄのうち閾値線Ｆ以上の部分の差分値である素子番号に対応する発光素子を補正対象発光素子として特定することができる。
【０１４４】
図１４に示す閾値線Ｆは、２．０の場合を示しているが、１．６以上２．０以下の範囲であることが好ましい。この閾値は、画像検証結果と差分値検証結果とに基づいて得られた値である。画像検証結果とは、複数のＬＰＨに対して各発光素子の差分値を求めると共に画像を形成させ、用紙に形成された画像に生じたスジの位置の検証結果である。差分値検証結果とは、画像検証結果と差分値線の形状との検証結果である。以下、閾値について説明する。
【０１４５】
まず、画像検証について説明する。
画像検証は、５０個の１２００ｄｐｉの解像度のＬＰＨそれぞれに対して、１７５線、スクリーン角度１５°の濃度１０％単位で濃度１０％〜１００％の中間調のドットスクリーン画像を用紙上に形成させ、各ＬＰＨにより形成された画像におけるスジの有無を目視により観察する検証である。この画像検証結果により、５個のＬＰＨにおいて形成された画像にスジが見られた。
【０１４６】
図１５に、スジが見られたＬＰＨの画像検証結果の表を示す。
図１５に示す画像検証結果の表は、スジがみられた各ＬＰＨ（サンプル番号１０、１１、２６、３７、４７）において、素子区分毎にスジの有無を示したものである。
素子区分とは、解像度が１２００ｄｐｉのＬＰＨが備える１５３６０個の発光素子を３８４個単位で４０分割した区分である。各区分には、識別番号（素子区分番号）を設定した。
【０１４７】
図１５に示すように、サンプル番号１０のＬＰＨには素子区分番号３６、サンプル番号１１のＬＰＨには素子区分番号３８、サンプル番号２６のＬＰＨには素子区分番号１６、サンプル番号３７のＬＰＨには素子区分番号１６、サンプル番号４７のＬＰＨには素子区分番号３６、のそれぞれにスジが見られた。
【０１４８】
次に、スジがみられた５個のＬＰＨ（サンプル番号１０、１１、２６、３７、４７）において、素子区分毎に差分値の最大値を求め、当該差分値の最大値が所定の閾値よりも高い素子区分の有無を検証する差分値検証を行うと共に、画像検証結果との比較を行なった。
【０１４９】
なお、画像検証結果との比較領域は、素子区分３〜３８とする。
第２の移動平均区間を７６８素子とした場合、この第２の移動平均区間は２つの素子区分に相当する。従って、素子区分番号１、４０の第２の移動平均値を直接求めることができない。また、レンズアレイの主走査方向における端部に配置された結像レンズの光学特性が中央部付近に配置された結像レンズよりも悪い。更に、素子区分１，２，３９，４０を除く素子区分３〜３８は、Ａ３サイズの用紙の長さに対応し、主要な画像形成は素子区分３〜３８の領域で実行される。このようなことから、比較領域を素子区分３〜３８とした。Ａ３ノビを超えるサイズでは、対象ＬＰＨの端部で２つの素子区間となる。
【０１５０】
この差分値の最大値を算出するにあたり、第２移動平均区間が７６８素子に対して第１移動平均区間が５２、７８、１０４素子の場合と、第２移動平均区間が３８４素子に対して第１移動平均区間が５２、７８素子の場合との、５つの移動平均区間の組合せパターンについて、差分値を求めた。図１６〜２０に、各移動平均区間の組み合わせパターンにおける各ＬＰＨの差分値検証結果の表を示す。
【０１５１】
図１６に示す差分値検証結果は、閾値を２．０４とした場合、第２移動平均区間が７６８素子に対して第１移動平均区間が５２素子である移動平均区間の組み合わせパターンの例である。図１６に示すように、サンプル番号１０のＬＰＨの素子区分番号１、３６、サンプル番号１１のＬＰＨの素子区分番号３８、サンプル番号２６のＬＰＨの素子区分番号１６、サンプル番号３７のＬＰＨの素子区分番号１６、サンプル番号４７のＬＰＨの素子区分番号３６、３９のそれぞれの差分値の最大値が閾値以上となった。
閾値を２．０４とした場合、全てのＬＰＨにおいて差分値の最大値が閾値以上となった素子区分が、画像検証結果と同様の素子区分となった。
【０１５２】
図１７に示す差分値検証結果は、閾値を１．７４とした場合、第２移動平均区間が７６８素子に対して第１移動平均区間が７８素子である移動平均区間の組み合わせパターンの例である。図１７に示すように、サンプル番号１０のＬＰＨの素子区分番号１、３６、３９、サンプル番号１１のＬＰＨの素子区分番号３８、サンプル番号２６のＬＰＨの素子区分番号１６、サンプル番号３７のＬＰＨの素子区分番号１６、サンプル番号４７のＬＰＨの素子区分番号３６、３９、４０のそれぞれの差分値の最大値が閾値以上となった。
閾値を１．７４とした場合、全てのＬＰＨにおいて差分値の最大値が閾値以上となった素子区分が、画像検証結果と同様の素子区分となった。
【０１５３】
図１８に示す差分値検証結果は、閾値を１．５３とした場合、第２移動平均区間が７６８素子に対して第１移動平均区間が１０４素子である移動平均区間の組み合わせパターンの例である。図１８に示すように、サンプル番号１０のＬＰＨの素子区分番号１、３６、サンプル番号１１のＬＰＨの素子区分番号３８、サンプル番号２６のＬＰＨの素子区分番号１６、サンプル番号３７のＬＰＨの素子区分番号１６、１７、サンプル番号４７のＬＰＨの素子区分番号３６、３９、４０のそれぞれの差分値の最大値が閾値以上となった。
閾値が１．５３の場合、サンプル番号１０のＬＰＨの差分値の最大値が閾値以上となった素子区分が画像検証結果と一致せず過検出となった。
【０１５４】
図１９に示す差分値検証結果は、閾値を１．５０とした場合、第２移動平均区間が３８４素子に対して第１移動平均区間が５２素子である移動平均区間の組み合わせパターンの場合の例である。図１９に示すように、サンプル番号１０のＬＰＨの素子区分番号１、２７、２８、３６、サンプル番号１１のＬＰＨの素子区分番号３８、サンプル番号２６のＬＰＨの素子区分番号１６、サンプル番号３７のＬＰＨの素子区分番号１６、サンプル番号４７のＬＰＨの素子区分番号１１、３６、３９のそれぞれの差分値の最大値が閾値以上となった。
閾値が１．５０の場合には、サンプル番号１０、４７のＬＰＨの差分値の最大値が閾値以上となった素子区分が画像検証結果と一致せず過検出となった。
【０１５５】
図２０に示す差分値検証結果は、閾値を１．６０とした場合、第２移動平均区間が３８４素子に対して第１移動平均区間が７６素子である移動平均区間の組み合わせパターンの例である。図２０に示すように、サンプル番号１０のＬＰＨの素子区分番号１、３６、サンプル番号１１のＬＰＨの素子区分番号３８、サンプル番号２６のＬＰＨの素子区分番号１６、サンプル番号３７のＬＰＨの素子区分番号１６、サンプル番号４７のＬＰＨの素子区分番号３６のそれぞれの差分値の最大値が閾値以上となった。
閾値を１．６０とした場合、全てのＬＰＨにおいて差分値の最大値が閾値以上となった素子区分が、画像検証結果と同様の素子区分となった。
【０１５６】
以上のように、画像検出結果と差分値検出結果とが一致した閾値が２．０４、１．７４、１．６０であることから、閾値の範囲を１．６以上２．０以下と設定することが好ましいことが判明した。従って、閾値を１．６以上２．０以下に設定することにより、スジの発生原因となる補正対象発光素子を特定することができる。
【０１５７】
以上のように本実施の形態によれば、画像形成装置に組み込む前に、表示部に表示された第３演算値によりスジ発生位置に対応するＬＰＨ１０の発光素子の補正箇所を予め特定することができ、画質懸念事項が発生するか否かを判別でき、当該懸念事項に応じた対応処置を講じる機会が得られ、画質の向上を図ることができる。
【０１５８】
特に、第１の移動平均区間を、光学部の構成に起因して発生する黒スジの検出精度に寄与する最小の素子数である５２素子とすることにより、補正対象発光素子の特定精度を向上でき、また、第２の移動平均区間を７６８素子とすることにより、各発光素子の特性データ（ＭＴＦ値）を平滑化することができる。
【０１５９】
また、第２の移動平均値から第１の移動平均値を差分した差分値が閾値以上の発光素子を補正対象発光素子として特定することができる。このとき用いる閾値を１．６以上２．０以下の閾値を用いることにより、補正対象発光素子の特定精度を向上できる。
【０１６０】
また、本発明は、上記実施の形態の内容に限定されるものではなく、本発明の主旨を逸脱しない範囲で適宜変更可能である。
【図面の簡単な説明】
【０１６１】
【図１】ＬＰＨ評価装置の構成図である。
【図２】ＬＰＨ評価処理のメインフローチャートである。
【図３】第１光量調整処理のフローチャートである。
【図４】第２光量調整処理のフローチャートである。
【図５】第３光量調整処理のフローチャートである。
【図６】１（ＯＮ）−１（ＯＦＦ）の点灯パターンの正規処理のＭＴＦ測定処理のフローチャートである。
【図７】１（ＯＮ）−１（ＯＦＦ）の点灯パターンの略式処理のＭＴＦ測定処理のフローチャートである。
【図８】１（ＯＮ）−３（ＯＦＦ）の点灯パターンの正規処理のＭＴＦ測定処理のフローチャートである。
【図９】１（ＯＮ）−３（ＯＦＦ）の正規処理の点灯パターン例を示す図である。
【図１０】１（ＯＮ）−３（ＯＦＦ）の点灯パターンの略式処理のＭＴＦ測定処理のフローチャートである。
【図１１】２（ＯＮ）−２（ＯＦＦ）の点灯パターンの正規処理のＭＴＦ測定処理のフローチャートである。
【図１２】２（ＯＮ）−２（ＯＦＦ）の正規処理の点灯パターン例を示す図である。
【図１３】２（ＯＮ）−２（ＯＦＦ）の点灯パターンの略式処理のＭＴＦ測定処理のフローチャートである。
【図１４】処理結果画面の例を示す図である。
【図１５】スジが見られたＬＰＨの画像検証結果の表を示した図である。
【図１６】ＬＰＨの差分値検証結果の表を示した図である。
【図１７】ＬＰＨの差分値検証結果の表を示した図である。
【図１８】ＬＰＨの差分値検証結果の表を示した図である。
【図１９】ＬＰＨの差分値検証結果の表を示した図である。
【図２０】ＬＰＨの差分値検証結果の表を示した図である。
【図２１】「俵積み」した結像レンズの配置例と発光素子との関係を示す図である。
【符号の説明】
【０１６２】
１  ＬＰＨ評価装置
２  暗箱
１０  ＬＰＨ
２０  ＬＰＨ固定部材
３０  受光部
４０  駆動部
５０  ＬＰＨ制御部
６０  受光制御部／駆動制御部
７０  制御装置
７１  制御部
７２  記憶部
７３  表示部
７４  操作部
【図１】
2010058389.tif 000003
【図２】
2010058389.tif 000004
【図３】
2010058389.tif 000005
【図４】
2010058389.tif 000006
【図５】
2010058389.tif 000007
【図６】
2010058389.tif 000008
【図７】
2010058389.tif 000009
【図８】
2010058389.tif 000010
【図９】
2010058389.tif 000011
【図１０】
2010058389.tif 000012
【図１１】
2010058389.tif 000013
【図１２】
2010058389.tif 000014
【図１３】
2010058389.tif 000015
【図１４】
2010058389.tif 000016
【図１５】
2010058389.tif 000017
【図１６】
2010058389.tif 000018
【図１７】
2010058389.tif 000019
【図１８】
2010058389.tif 000020
【図１９】
2010058389.tif 000021
【図２０】
2010058389.tif 000022
【図２１】
2010058389.tif 000023